(57)【要約】【課題】  ロールペーパーを繰り出して使う際に、ロールペーパーの切断端部を摘み出し易くすると共に、新たなロールペーパーを簡単に装着することができるペーパーホルダーを提供する。【解決手段】  ホルダー本体６にペーパー送りレバー３８が往復移動自在に支持され、ペーパー送りレバー３８が前記往復移動の一端側から他端側に移動するときのみにペーパー送りレバー３８の移動に連動してロール固定軸１２を回転させると共に、ペーパー送りレバー３８が往復移動の一端側にあるとき及び往復移動の他端側から一端側へ移動するときに連動が解除される連動機構４２が、ペーパー送りレバー３８とロール固定軸１２との間に設けられ、ペーパー送りレバー３８を前記往復移動の一方側に付勢する戻しバネ４１が設けられている。【選択図】図３
0003179293.tif 000002
【実用新案登録請求の範囲】
【請求項１】
左右に対向する一対の側壁体（４）を有するホルダー本体（６）を備え、一対の側壁体（４）にそれぞれロール固定軸（１２）が左右方向内方に突出されると共に軸芯廻りに回転自在に支持され、これら一対のロール固定軸（１２）間でロールペーパー（２）を固定してロール固定軸（１２）と共にロールペーパー（２）を軸芯廻りに一体に回転するように支持し、一対の側壁体（４）間にペーパーカットプレート（７）がロールペーパー（２）の上部側を覆うように設けられたペーパーホルダーであって、
ホルダー本体（６）にペーパー送りレバー（３８）が往復移動自在に支持され、ペーパー送りレバー（３８）が前記往復移動の一端側から他端側に移動するときのみにペーパー送りレバー（３８）の移動に連動してロール固定軸（１２）を回転させると共に、ペーパー送りレバー（３８）が往復移動の一端側にあるとき及び往復移動の他端側から一端側へ移動するときに連動が解除される連動機構（４２）が、ペーパー送りレバー（３８）とロール固定軸（１２）との間に設けられ、ペーパー送りレバー（３８）を前記往復移動の一方側に付勢する戻しバネ（４１）が設けられていることを特徴とするペーパーホルダー。
【請求項２】
前記ホルダー本体（６）は一対の側壁体（４）の上端部間に配置した上壁体（９）を備え、前記ペーパーカットプレート（７）は、上壁体（９）にロール固定軸（１２）の上方でロール固定軸（１２）と平行な横軸（３１）廻りに揺動自在に支持され、かつ横軸（３１）から垂直方向に対して鋭角状に傾斜してロールペーパー（２）の前部側に接当するように配置され、ペーパーカットプレート（７）の遊端側をロールペーパー（２）から上方に浮いた状態に吸引保持する磁石（３２）が上壁体（９）に設けられていることを特徴とする請求項１に記載のペーパーホルダー。
【請求項３】
前記ロール固定軸（１２）に連動して回転する回転ドラム（３５）が設けられ、一端が固定された制動ベルト（４９）が回転ドラム（３５）に巻回され、制動ベルト（４９）の他端部を巻き取る巻取ドラム（５０）が設けられ、巻取ドラム（５０）を回転操作する回転操作レバー（５１）が巻取ドラム（５０）に突設され、回転操作レバー（５１）を操作して、制動ベルト（４９）を巻取ドラム（５０）に巻き取ることにより、制動ベルト（４９）が回転ドラム（３５）に圧接するように構成されていることを特徴とする請求項１又は２に記載のペーパーホルダー。
【請求項４】
前記ロール固定軸（１２）に連動して回転するペーパー送りダイヤル（５８）が設けられ、このペーパー送りダイヤル（５８）は側壁体（４）から外側方に突出するように配置されていることを特徴とする請求項１〜３のいずれかに記載のペーパーホルダー。
【請求項５】
前記一対の側壁体（４）のうちの一方の側壁体（４）は、筐体により構成され、この一方の側壁体（４）内に前記連動機構（４２）が配置され、ペーパー送りレバー（３８）が側壁体（４）に設けたスリット（３９）を介して外方に突出され、
他方の側壁体（４）は、上側の側壁基部（２４）と下側のロール支持部（２５）とを有し、ロール支持部（２５）は側壁基部（２４）に対して前後方向の支持軸（２７）廻りに外側方に屈曲自在に連結され、ロール支持部（２５）を伸長状態に戻すべく左右方向内方に付勢する伸長バネ（２８）が設けられていることを特徴とする請求項１〜４のいずれかに記載のペーパーホルダー。
【考案の詳細な説明】
【技術分野】
【０００１】
本考案は、トイレットペーパー等のロールペーパーを回転自在に保持するペーパーホルダーに関するものである。
【背景技術】
【０００２】
従来のトイレットペーパー等のロールペーパーを保持するペーパーホルダーには、ロールペーパーの両端面を挟む側壁体間に芯棒を着脱自在に架設し、この芯棒にロールペーパーを回転自在に外嵌することにより、ロールペーパーを回転自在に保持し、ペーパーカットプレートを横軸廻りに揺動自在に支持してロールペーパーの上部側を覆うように配置したものがある（例えば特許文献１）。
しかし、上記従来のものでは、ロールペーパーをペーパーカットプレートの先端で切断すると、該ロールペーパーの切断端部がペーパーカットプレートの裏面側に隠れてしまうため、次にロールペーパーを使用する際に、わざわざペーパーカットプレートの裏面側からロールペーパーの切断端部を引き出して使用しなければならず、不便であった。
そこで、他の従来のペーパーホルダーには、ロールペーパーを支える芯棒を通すことができる中空部材と、ロールペーパーの中空内径に食いつく爪部と、中空部材の一端から径外方向に突設された平板とを備える回転補助具を具備し、この回転補助具をロールペーパーの一端部に装着して、ロールペーパー及び回転補助具に芯棒を通してロールペーパーと共に回転補助具を回転自在に支持し、回転補助具でロールペーパーを回転操作するようにしたものがある（例えば特許文献２）。
【先行技術文献】
【特許文献】
【０００３】
【特許文献１】特開２０１０−２１３８３３号公報
【特許文献２】特開２００７−２７５５３３号公報
【考案の概要】
【考案が解決しようとする課題】
【０００４】
しかしながら、他の従来のペーパーホルダーでは、ロールペーパーの切断端部がペーパーカットプレートの裏面側に隠れてしまっている場合、使用者が回転補助具の外周部分を掴んで回転補助具を回転させる必要があり、回転操作自体が面倒な作業となった。また、回転補助具はロールペーパーと側壁体との間にあるため、回転補助具を掴んで回転操作する際に側壁体が邪魔になり、この点からも回転操作が面倒な作業になった。さらに、ロールペーパーを新しいものと交換する際には、その都度新しいロールペーパーに回転補助具を装着する必要があり、ロールペーパーの交換も面倒になるという問題があった。
本考案は上記問題点に鑑み、ロールペーパーを繰り出して使う際に、ロールペーパーの切断端部を摘み出し易くすると共に、新たなロールペーパーを簡単に装着することができるペーパーホルダーを提供することを目的とする。
【課題を解決するための手段】
【０００５】
本考案における課題解決のための具体的手段は、次の通りである。
この技術的課題を解決する本考案の技術的手段は、左右に対向する一対の側壁体４を有するホルダー本体６を備え、一対の側壁体４にそれぞれロール固定軸１２が左右方向内方に突出されると共に軸芯廻りに回転自在に支持され、これら一対のロール固定軸１２間でロールペーパー２を固定してロール固定軸１２と共にロールペーパー２を軸芯廻りに一体に回転するように支持し、一対の側壁体４間にペーパーカットプレート７がロールペーパー２の上部側を覆うように設けられたペーパーホルダーであって、
ホルダー本体６にペーパー送りレバー３８が往復移動自在に支持され、ペーパー送りレバー３８が前記往復移動の一端側から他端側に移動するときのみにペーパー送りレバー３８の移動に連動してロール固定軸１２を回転させると共に、ペーパー送りレバー３８が往復移動の一端側にあるとき及び往復移動の他端側から一端側へ移動するときに連動が解除される連動機構４２が、ペーパー送りレバー３８とロール固定軸１２との間に設けられ、ペーパー送りレバー３８を前記往復移動の一方側に付勢する戻しバネ４１が設けられている点にある。
なお、前記連動機構４２は、具体例として、例えば、ロール固定軸１２に連動して回転する回転ギヤ３６と、回転ギヤ３６の径方向外方に往復移動自在に支持された支軸４４と、回転ギヤ３６に噛合する送りラック４５とを備え、送りラック４５とペーパー送りレバー３８とが互いに連結されて前記支軸４４廻りに揺動自在に支持され、ペーパー送りレバー３８を戻しバネ４１の付勢に抗して往復移動の他方側に押圧操作すると、送りラック４５が支軸４４廻りに揺動して回転ギヤ３６に噛合すると同時に、支軸４４が往復移動の他方側に移動して回転ギヤ３６を回転させるべく送りラック４５が往復移動の他方側に移動し、ペーパー送りレバー３８の押圧操作を解除すると、戻しバネ４１の付勢によって送りラック４５が回転ギヤ３６から離れるように支軸４４廻りに揺動すると共に支軸４４が往復移動の一方側に移動して送りラック４５が戻り移動するように構成される。
また、本考案の他の技術的手段は、前記ホルダー本体６は一対の側壁体４の上端部間に配置した上壁体９を備え、前記ペーパーカットプレート７は、上壁体９にロール固定軸１２の上方でロール固定軸１２と平行な横軸３１廻りに揺動自在に支持され、かつ横軸３１から垂直方向に対して鋭角状に傾斜してロールペーパー２の前部側に接当するように配置され、ペーパーカットプレート７の遊端側をロールペーパー２から上方に浮いた状態に吸引保持する磁石３２が上壁体９に設けられている点にある。
また、本考案の他の技術的手段は、前記ロール固定軸１２に連動して回転する回転ドラム３５が設けられ、一端が固定された制動ベルト４９が回転ドラム３５に巻回され、制動ベルト４９の他端部を巻き取る巻取ドラム５０が設けられ、巻取ドラム５０を回転操作する回転操作レバー５１が巻取ドラム５０に突設され、回転操作レバー５１を操作して、制動ベルト４９を巻取ドラム５０に巻き取ることにより、制動ベルト４９が回転ドラム３５に圧接するように構成されている点にある。
また、本考案の他の技術的手段は、前記ロール固定軸１２に連動して回転するペーパー送りダイヤル５８が設けられ、このペーパー送りダイヤル５８は側壁体４から外側方に突出するように配置されている点にある。
また、本考案の他の技術的手段は、前記一対の側壁体４のうちの一方の側壁体４は、筐体により構成され、この一方の側壁体４内に前記連動機構４２が配置され、ペーパー送りレバー３８が側壁体４に設けたスリット３９を介して外方に突出され、
他方の側壁体４は、上側の側壁基部２４と下側のロール支持部２５とを有し、ロール支持部２５は側壁基部２４に対して前後方向の支持軸２７廻りに外側方に屈曲自在に連結され、ロール支持部２５を伸長状態に戻すべく左右方向内方に付勢する伸長バネ２８が設けられている点にある。
【考案の効果】
【０００６】
請求項１によれば、ロールペーパーの切断端部がペーパーカットプレートの裏面側に隠れても、ペーパー送りレバーを戻しバネの付勢に抗して往復移動の他方側に向けて押圧操作することにより、連動機構によって、ロール固定軸乃至ロールペーパーをスムーズに回転させることができる。従って、ペーパー送りレバーを押圧するという極めて簡単な操作によってロールペーパーの切断端部をペーパーカットプレートの裏面側から取り出すことができ、ロールペーパーの切断端部を摘んでロールペーパーを容易に繰り出すことが可能になる。しかも、１回のペーパー送りレバーの押圧操作によるロールペーパーの回転範囲は所定に制限されるため、誤ってロールペーパーを繰り出し過ぎてペーパーが必要以上に長く垂れるようなことも防止できる。
また、ペーパー送りレバーの押圧操作を解除すると、ペーパー送りレバーとロール固定軸との連動が解除された状態で、戻しバネの付勢によって自動的にペーパー送りレバーが元の状態に戻るため、ペーパーを送るための操作がそれだけ簡単になり、非常に便利である。
さらに、新たなロールペーパーの装着は、従来のようにロールペーパーに回転補助具を装着するような面倒な作業が不要で、単にロール固定軸間にロールペーパーを装着すればよく、ペーパーホルダーにロールペーパーを簡単に装着することができる。
請求項２によれば、ロールペーパーをペーパーカットプレートでカットする際には、ロールペーパーの切断端部を摘んで繰り出した後に、上方に引っ張り上げることにより、ペーパーをカットする方向とペーパーカットプレートの配置方向が鋭角状に交差するため、ペーパーカットプレートは上に持ち上がりにくくなり、ペーパーカットプレートを手で押さえることなく、片手で簡単かつきれいにカットすることができる。
また、ロールペーパーを交換する際には、ペーパーカットプレートを持ち上げて、磁石で上壁体側に吸引保持することができて、ペーパーカットプレートの遊端側をロールペーパーから上方に浮いた状態に保持しておくことができ、ロールペーパーを片手でペーパーホルダーに脱着して新たなロールペーパーと交換することが可能になる。
請求項３によれば、例えばロールペーパーのペーパーが少なくなり、ペーパーカットプレートのロールペーパーへの接当が緩くなることによって、ロールペーパーが空回りし易くなったような場合には、回転操作レバーを操作して制動ベルトを回転ドラムに簡単かつ確実に圧接させることができ、これによってロールペーパーの空回りを防止することができるし、ロールペーパーが回転しないようにロックすることもでき、ロールペーパーを最後までスムーズに繰り出してペーパーカットプレートで繰り出したペーパーを簡単かつ確実にカットすることができる。
請求項４によれば、ロールペーパーの切断端部がペーパーカットプレートの裏面側に隠れた場合、ペーパー送りダイヤルを回動操作することによっても、ロールペーパーを軸芯廻りに回転させて、ロールペーパーの切断端部をペーパーカットプレートの裏面側から簡単に取り出すことができ、ロールペーパーの切断端部を摘んでロールペーパーを容易に繰り出すことが可能になる。しかも、ペーパー送りダイヤルは一方の側壁体から外側方に突出しているため、ペーパー送りダイヤルを簡単に把持してスムーズに回転操作することができる。
請求項５によれば、連動機構を側壁体によって効果的に保護することができるし、連動機構を側壁体で覆い隠して外観上の体裁をよくなし得る。また、ロールペーパーを交換する際に、他方の側壁体の下側のロール支持部が伸長バネに抗して外側方に屈曲することにより、一対のロール固定軸間の間隔を大きく開けることができ、ロールペーパーの脱着がしやすくなり、しかも、外側方に屈曲させたロール支持部は伸長バネの付勢によって、自動的に伸長状態に戻すことができ、この点からもロールペーパーの交換が楽にできるようになる。
【図面の簡単な説明】
【０００７】
【図１】本考案の一実施形態を示すペーパーホルダーの正面図である。
【図２】同ペーパーホルダーの右側面図である。
【図３】同図１のＡ−Ａ線断面図である。
【図４】他の実施形態を示すペーパーホルダーの右側面図である。
【考案を実施するための形態】
【０００８】
以下、本考案の実施の形態を図面に基づいて説明する。
図１〜図３は本考案の一実施形態を示している。図１〜図３において、ペーパーホルダー１は、トイレットペーパーであるロールペーパー２を回転自在に保持するためのトイレットペーパー用のペーパーホルダーであって、左右に対向する一対の側壁体４（左側壁体４Ｌ、右側壁体４Ｒ）を有するホルダー本体６と、一対の側壁体４間に設けられたペーパーカットプレート７とを備える。ホルダー本体６は、一対の側壁体４の他に、一対の側壁体４の上端部間に配置した上壁体９と、一対の側壁体４の後端部間に配置した後壁体１０とを有する。
一対の側壁体４にそれぞれロール固定軸１２（左ロール固定軸１２Ｌ、右ロール固定軸１２Ｒ）が左右方向内方（左右対向方向）に突出されている。
一対のロール固定軸１２はそれぞれ側壁体４に図示省略の軸受等を介して軸芯廻りに回転自在でかつ左右方向に移動自在に支持され、ロール固定軸１２の先端部に、先端に向けて徐々に小径となる円錐状の係合部１３が形成されている。
側壁体４とロール固定軸１２との間にバネ１４が設けられており、バネ１４はロール固定軸１２を側壁体４に対して左右方向内方に突出するようにロールペーパー２側に付勢している。
而して、左右一対のロール固定軸１２は、バネ１４の付勢によって、ロールペーパー２側に付勢されることにより、円錐状の係合部１３がロールペーパー２の芯孔（芯筒）１５の両端部に内嵌状に係合し、バネ１４の付勢と係合部１３のロールペーパー２の芯孔１５への係合とによって、ロールペーパー２が一対のロール固定軸１２間に固定されて一対のロール固定軸１２と共に一体に軸芯廻りに回転するように支持されている。
一方の側壁体４（左側壁体４Ｌ）は、左右に扁平な長方形の筐体により構成され、図３に示すように、左右一対の側壁１９と前壁２０と後壁２１と下壁２２とを有している。
他方の側壁体４（右側壁体４Ｒ）は、上側の側壁基部２４と下側のロール支持部２５とを有し、ロール支持部２５は側壁基部２４に対して前後方向の支持軸２７廻りに外側方に屈曲自在に連結されている。上壁体９とロール支持部２５との間に伸長バネ２８が連結されており、この伸長バネ２８によってロール支持部２５を伸長状態に戻すべく左右方向内方に付勢している。
ペーパーカットプレート７は、上壁体９にロール固定軸１２の上方でロール固定軸１２と平行な横軸３１廻りに揺動自在に支持され、かつ横軸３１から垂直方向に対して鋭角状に傾斜してロールペーパー２の前部側に接当するように配置されており、ロールペーパー２の上部側を覆っている。
上壁体９の前部側の下面に磁石３２が設けられており、磁石３２でペーパーカットプレート７の遊端側をロールペーパー２から上方に浮いた状態に吸引保持することできるようになっている。
一方の側壁体４Ｌ内において、回転ドラム３５がロール固定軸１２Ｌの基部に一体に回転するように連結固定され、回転ドラム３５に回転ギヤ３６が外嵌固定されている。従って、回転ドラム３５と回転ギヤ３６とロール固定軸１２とは左右方向の軸芯廻りに一体に回転するようになっている。
ホルダー本体６の一方の側壁体４Ｌに、ペーパー送りレバー３８が上下方向に往復移動自在に支持されている。ペーパー送りレバー３８は側壁体４の前壁２０に設けた上下方向のスリット３９を介して側壁体４Ｌから前方に外方突出されている。
一方の側壁体４Ｌ内の前部上側に戻しバネ４１が設けられている。戻しバネ４１は上壁体９の前部とペーパー送りレバー３８との間に連結されており、ペーパー送りレバー３８を前記往復移動の一方側（上方側）に付勢している。
ペーパー送りレバー３８と一方のロール固定軸１２Ｌとの間に、ペーパー送りレバー３８に連動してロール固定軸１２を回転させる連動機構（ラチェット連動機構）４２が設けられている。この連動機構４２は、一方の側壁体４Ｌ内に配置されていて、ペーパー送りレバー３８が前記往復移動の一端側（上端側）から他端側（下端側）に移動するときのみにペーパー送りレバー３８の移動に連動してロール固定軸１２を矢印ａ方向に回転させると共に、ペーパー送りレバー３８が往復移動の一端側にあるとき及び往復移動の他端側から一端側へ移動するときに連動が解除される（ペーパー送りレバー３８と一方のロール固定軸１２との連動が外れてペーパー送りレバー３８が移動してもロール固定軸１２が回転しなくなる）ように構成されている。
即ち、連動機構４２は、ロール固定軸１２に連動して回転する回転ギヤ３６と、回転ギヤ３６の径方向外方に往復移動自在に支持された支軸４４と、回転ギヤ３６に噛合する送りラック４５とを備えている。
そして、支軸４４は側壁体４Ｌ内の前部側に左右方向に配置されて、側壁体４Ｌに設けた上下方向の支持部材４７に上下動自在に係合保持され、送りラック４５は、一方の側壁体４Ｌ内の回転ギヤ３６の前方に上下方向に配置され、送りラック４５とペーパー送りレバー３８とが互いに連結されて前記支軸４４廻りに揺動自在に支持されている。
而して、ペーパー送りレバー３８を戻しバネ４１の付勢に抗して支軸４４の往復移動の他方側（下方側）に押圧操作すると、送りラック４５が支軸４４廻りに揺動して回転ギヤ３６に噛合すると同時に、支軸４４が下方側に移動し、これに伴って送りラック４５が下方側に移動して、回転ギヤ３６を矢印ａ方向に回転させる。また、ペーパー送りレバー３８の押圧操作を解除すると、戻しバネ４１の付勢によって送りラック４５が回転ギヤ３６から離れるように支軸４４廻りに揺動すると共に支軸４４が上方側に移動して送りラック４５が戻り移動するように構成されている。
ゴム質性の制動ベルト４９が回転ドラム３５に巻回され、制動ベルト４９の一端が前壁２０に固定されている。側壁体４Ｌ内の前側下部に、制動ベルト４９の他端部を巻き取る巻取ドラム５０が設けられ、巻取ドラム５０を回転操作する回転操作レバー５１が巻取ドラム５０に突設され、回転操作レバー５１を操作して、制動ベルト４９を巻取ドラム５０に巻き取ることにより、制動ベルト４９が回転ドラム３５に圧接するように構成されている。
一方の側壁体４Ｌの前壁２０の下部にガイド溝５３が形成されており、図１に示すように、ガイド溝５３は縦溝部５４と、縦溝部５４の下部から上方に向けて鈎形に屈曲した下係止溝部５５と、縦溝部５４の上部から下方に向けて鈎形に屈曲した上係止溝部５６とを有している。回転操作レバー５１はガイド溝５３に挿通されて側壁体４の前方に外方突出されている。回転操作レバー５１の先端部に鉄球等により構成した錘５７が設けられている。
回転操作レバー５１が縦溝部５４の上部にあるとき、制動ベルト４９の回転ドラム３５への圧接が緩んだ状態になっており、回転操作レバー５１を縦溝部５４の下部に移動することにより、巻取ドラム５０が巻き取り方向に回転して制動ベルト４９が巻取ドラム５０に巻き取られ、制動ベルト４９が回転ドラム３５に圧接する。また、回転操作レバー５１をガイド溝５３の下係合溝部５５に係合することにより、制動ベルト４９が巻取ドラム５０に巻き取られて回転ドラム３５に圧接し、回転ドラム３５の回転をロックできるように構成され、回転操作レバー５１をガイド溝５３の上係合溝部５６に係合することにより、制動ベルト４９の回転ドラム３５への圧接が緩んだ状態に保持できるように構成されている。また、回転操作レバー５１が縦溝部５４にあるとき、錘５７の重量によって回転操作レバー５１が下がり、制動ベルト４９が巻取ドラム５０に巻き取られて回転ドラム３５に軽く圧接した状態になり、回転ドラム３５の回転がやや制動された状態になるように構成されている。
他方の側壁体４Ｒにロール固定軸１２に連動して回転するペーパー送りダイヤル５８が設けられ、このペーパー送りダイヤル５８はロール固定軸１２Ｒに固定されて、側壁体４から外側方に突出するように配置されている。
上記実施形態によれば、ペーパーホルダー１にロールペーパー２を装着する場合は、一対のロール固定軸１２間にロールペーパー２を下側又は前側から挿入すればよく、ロールペーパー２の両端部でロール固定軸１２の円錐状の係合部１３が押圧されて、ロール固定軸１２がバネ１４の付勢に抗して側壁体４側に後退した後、ロール固定軸１２がバネ１４の付勢によってロールペーパー２側に突出して、ロール固定軸１２の係合部１３がロールペーパー２の芯孔１５に係合し、ロールペーパー２が一対のロール固定軸１２間に一体回転するように簡単に装着される。
また、ロールペーパー２を繰り出して使う際に、ロールペーパー２の切断端部がペーパーカットプレート７の裏面側に隠れている場合、ペーパー送りレバー３８を下方側に押圧操作すると、送りラック４５が支軸４４廻りに揺動して回転ギヤ３６に噛合すると同時に、支軸４４が下方側に移動し、これに伴って送りラック４５も下方側に移動し、回転ギヤ３６が矢印ａ方向に回転する。その結果、回転ドラム３５、ロール固定軸１２及びロールペーパー２が同方向に回転して、ペーパーカットプレート７の裏面側に隠れていたロールペーパー２の切断端部がペーパーカットプレート７の下方側に露出するので、ロールペーパー２の切断端部をペーパーカットプレート７の裏面側から簡単に取り出すことができ、ロールペーパー２の切断端部を摘んでロールペーパー２を容易に繰り出すことが可能になる。
しかも、１回のペーパー送りレバー３８の押圧操作によるロールペーパー２の回転範囲は所定に制限されるため、誤ってロールペーパー２を繰り出し過ぎてペーパーが必要以上に長く垂れるようなことも防止できる。
また、ペーパー送りレバー３８の押圧操作を解除すると、戻りバネ４１の付勢によって送りラック４５が回転ギヤ３６から離れるように支軸４４廻りに揺動すると共に支軸４４が上方側に移動して送りラック４５が上方に戻り移動する。
従って、ペーパー送りレバー３８の押圧操作を解除すると、ペーパー送りレバー３８とロール固定軸１２との連動が解除された状態で、戻しバネ４１の付勢によって自動的にペーパー送りレバー３８が元の状態に戻るため、ペーパーを送るための操作がそれだけ簡単になり、非常に便利である。
さらに、新たなロールペーパー２の装着は、従来のようにロールペーパー２に回転補助具を装着するような面倒な作業が不要で、単にロール固定軸１２間にロールペーパー２を装着すればよく、ペーパーホルダー１にロールペーパー２を簡単に装着することができる。
また、ロールペーパー２をペーパーカットプレート７でカットする際には、ロールペーパー２の切断端部を摘んで繰り出した後に、上方に引っ張り上げることにより、ペーパーをカットする方向とペーパーカットプレート７の配置方向が鋭角状に交差するため、ペーパーカットプレート７は上に持ち上がりにくくなり、ペーパーカットプレート７を手で押さえることなく、片手で簡単かつきれいにカットすることができる。
また、ロールペーパー２を交換する際には、ペーパーカットプレート７を持ち上げて、磁石３２で上壁体９側に吸引保持することができて、ペーパーカットプレート７の遊端側をロールペーパー２から上方に浮いた状態に保持しておくことができ、ロールペーパー２を片手でペーパーホルダー１に脱着して新たなロールペーパー２と交換することが可能になる。
また、例えばロールペーパー２のペーパーが少なくなり、ペーパーカットプレート７のロールペーパー２への接当が緩くなることによって、ロールペーパー２が空回りし易くなったような場合には、回転操作レバー５１を操作して制動ベルト４９を回転ドラム３５に簡単かつ確実に圧接させことができ、これによってロールペーパー２の空回りを防止することができるし、ロールペーパー２が回転しないようにロックすることもでき、ロールペーパー２を最後までスムーズに繰り出してペーパーカットプレート７で繰り出したペーパーを簡単かつ確実にカットすることができる。
また、ロールペーパー２の切断端部がペーパーカットプレート７の裏面側に隠れた場合、ペーパー送りダイヤル５８を回動操作することによっても、ロールペーパー２を軸芯廻りに回転させて、ロールペーパー２の切断端部をペーパーカットプレート７の裏面側から簡単に取り出すことができ、ロールペーパー２の切断端部を摘んでロールペーパー２を容易に繰り出すことが可能になる。しかも、ペーパー送りダイヤル５８は側壁体４Ｒから外側方に突出しているため、ペーパー送りダイヤル５８を簡単に把持してスムーズに回転操作することができる。
また、連動機構４２を側壁体４Ｌによって効果的に保護することができるし、連動機構４２を側壁体４Ｌで覆い隠して外観上の体裁をよくなし得る。また、ロールペーパー２を交換する際に、図１に２点鎖線で示すように、他方の側壁体４Ｒの下側のロール支持部２５が伸長バネ２８に抗して外側方に屈曲することにより、一対のロール固定軸１２間の間隔を大きく開けることができ、ロールペーパー２の脱着がしやすくなり、しかも、外側方に屈曲させたロール支持部２５は伸長バネ２８の付勢によって、自動的に伸長状態に戻すことができ、この点からもロールペーパー２の交換が楽にできるようになる。
図４は他の実施形態を示し、ペーパーカットプレート７を、前記実施形態の場合に比べてより前方位置で横軸３１廻りに揺動自在に支持するようにしたものであり、ペーパーカットプレート７が上壁体９にロール固定軸１２の前端部上方でロール固定軸１２と平行な横軸３１廻りに揺動自在に支持され、かつ横軸３１から垂直方向に対してより小さな角度で鋭角状に傾斜してロールペーパー２の前部側に接当するように配置されている。ペーパーカットプレート７の遊端側に取手６０が設けられている。その他の点は前記実施形態の場合と同様の構成である。
なお、前記実施形態では、一方の側壁体４Ｌ内の前部側で支軸４４が上下方向に往復移動自在に支持され、側壁体４Ｌ内の前部側で送りラック４５とペーパー送りレバー３８とを上下方向に移動させるようにしているが、これに代え、例えば、支軸４４を側壁体４Ｌ内の下部側又は上部側で前後方向に往復移動自在に支持し、側壁体４Ｌ内の下部側又は上部側で送りラック４５とペーパー送りレバー３８とを前後方向に移動させるようにしてもよい。
また、前記実施形態では、トイレットペーパー用のペーパーホルダー１について本考案を適用実施しているが、本願考案が適用されるペーパーホルダー１はトイレットペーパー用のペーパーホルダーに限定されず、トイレットペーパー以外のロールペーパーを回転自在に保持するためのものであってもよい。
また、連動機構４２は、回転ギヤ３６や送りラック４５以外のリンクやカムにより構成するようにしてもよい。
【符号の説明】
【０００９】
１      ペーパーホルダー
２      ロールペーパー
４      側壁体
６      ホルダー本体
７      ペーパーカットプレート
９      上壁体
１２    ロール固定軸
２４    側壁基部
２５    ロール支持部
２７    支持軸
２８    伸長バネ
３１    横軸
３２    磁石
３５    回転ドラム
３８    ペーパー送りレバー
３９    スリット
４１    戻しバネ
４２    連動機構
４９    制動ベルト
５０    巻取ドラム
５８    ペーパー送りダイヤル
【図１】
0003179293.tif 000003
【図２】
0003179293.tif 000004
【図３】
0003179293.tif 000005
【図４】
0003179293.tif 000006